(57)【要約】【課題】ＦＦＴ（高速フーリエ変換）手段の数が増大することを抑制しつつ、複数のブランチでダイバーシティ受信した放送データに対し、２区間ＦＦＴを行うことができる放送受信装置を提供すること。【解決手段】各ブランチによって受信された各到来波に対応する入力信号の位相を調整して合成することによりアンテナの指向性を受信レベルが最も高い到来波へ向けることで複数の到来波を合成した合成波を生成し、第１ＦＦＴ部により合成波をＦＦＴすることで取得した信号に基づき、全てのブランチに共通の区間（１）を設定し、シンボル間干渉が発生しない区間内で、区間（１）から最大限離隔させて区間（２）をブランチ毎に設定し、区間（１）で第１ＦＦＴ部によるＦＦＴを行い、区間（２）で第２ＦＦＴ部によるＦＦＴを行うように受信装置を構成した。【選択図】図３
2011182129.tif 000002
【特許請求の範囲】
【請求項１】
複数のアンテナにそれぞれ対応する複数のブランチによって受信した到来波に含まれるデータを第１区間および第２区間の２区間で高速フーリエ変換する放送受信装置であって、
各前記ブランチによって受信された各前記到来波に対応する入力信号の位相を調整して合成することにより前記アンテナの指向性を受信レベルが最も高い前記到来波へ向けることで前記到来波を合成した合成波を生成するアダプティブ手段と、
前記アダプティブ手段によって生成された前記合成波に含まれる変換対象のデータを高速フーリエ変換する第１フーリエ変換手段と、
前記複数のブランチ毎に設けられ、各ブランチによって受信された前記到来波に含まれる前記変換対象のデータを高速フーリエ変換する第２フーリエ変換手段と、
前記第１フーリエ変換手段による高速フーリエ変換後の信号が複数の前記到来波の成分を含んでいる場合に、当該信号に基づいて当該複数の到来波の到来時刻に関する差分を算出する第１差分算出手段と、
前記第１差分算出手段によって算出された前記到来時刻に関する差分に基づき、前記第１フーリエ変換手段が前記変換対象のデータを高速フーリエ変換する前記第１区間を前記変換対象のデータだけが重複する区間内で設定する第１区間設定手段と、
前記第２フーリエ変換手段による高速フーリエ変換後の信号が複数の前記到来波の成分を含んでいる場合に、当該信号に基づいて当該複数の到来波の到来時刻に関する差分を算出する第２差分算出手段と、
前記第２差分算出手段によって算出された前記到来時刻に関する差分に基づき、前記第２フーリエ変換手段が前記変換対象のデータを高速フーリエ変換する前記第２区間を前記変換対象のデータだけが重複する区間内で前記ブランチ毎に設定する第２区間設定手段と
を備えたことを特徴とする放送受信装置。
【請求項２】
前記第１区間設定手段は、
前記変換対象のデータだけが重複する区間に前記第１区間の一端を内接させて当該第１区間を設定することを特徴とする請求項１に記載の放送受信装置。
【請求項３】
前記第２区間設定手段は、
前記変換対象のデータだけが重複する区間内で前記第１区間から最大限離隔させて前記第２区間を設定することを特徴とする請求項１または請求項２に記載の放送受信装置。
【発明の詳細な説明】
【技術分野】
【０００１】
本発明は、受信装置に関するものであり、特に、ＦＦＴ（高速フーリエ変換）手段の数が増大することを抑制しつつ、複数のブランチでダイバーシティ受信した放送データに対し、２区間ＦＦＴを行うことができる放送受信装置に関する。
【背景技術】
【０００２】
従来、ＯＦＤＭ（Orthogonal  Frequency  Division  Multiplexing；直交周波数分割多重）方式で変調された放送波を受信する放送受信装置は、受信した放送波からデータシンボルを取得し、取得したデータシンボルを復号することで放送を受信している。
【０００３】
そして、かかる放送受信装置は、受信した放送波をアナログ／デジタル変換し、変換後の放送データを所定データ長毎にＦＦＴ（高速フーリエ変換）することでデータシンボルを取得している。
【０００４】
ところで、放送受信装置は、マルチパスの影響により到達時刻の異なる複数の同じ放送波を同時に受信することがある。この場合、放送受信装置は、放送データを所定データ長毎にＦＦＴした際に、変換対象の放送データだけでなく変換対象の放送データに隣接する変換対象外の放送データまでＦＦＴする。
【０００５】
すると、放送受信装置では、ＦＦＴにより取得したデータシンボルにシンボル間干渉が生じており、受信した放送の映像や音声にノイズが発生する。かかるマルチパスの影響を抑制するため、ＯＦＤＭ方式では、所定データ長毎に各放送データへガードインターバルという冗長データを付加している。
【０００６】
一般に、ガードインターバルとしては、所定データ長の放送データの後半部が用いられる。すなわち、ＯＦＤＭ方式を採用している放送局は、順次送信する所定データ長の放送データの先頭に放送データの後半部分をガードインターバルとして付加し、放送波に重畳させて送信している。
【０００７】
これにより、放送受信装置は、マルチパスの影響で到来時刻の異なる複数の同じ放送波を受信した場合であっても、到来時刻のずれがガードインターバルの受信時間内であれば、変換対象の放送データと変換対象外の放送データとを同時にＦＦＴすることがない。
【０００８】
ここで、上記のように、ガードインターバルは、放送データと同じデータが含まれているため、かかるガードインターバルに含まれる放送データを有効利用することで放送受信装置の受信特性を向上させることができる。
【０００９】
ガードインターバルを有効利用する手法として、２区間ＦＦＴという手法が知られている。かかる２区間ＦＦＴでは、第１のＦＦＴ手段によって変換対象である放送データを所定データ長の区間でＦＦＴする。
【００１０】
さらに、２区間ＦＦＴでは、変換対象の放送データに付加されているガードインターバルの先頭から所定データ長の区間でガードインターバルと変換対象の放送データの前半部分とを第２のＦＦＴ手段によってＦＦＴする。
【００１１】
そして、２区間ＦＦＴでは、第１および第２のＦＦＴ手段によるＦＦＴで取得されたデータシンボルを合成する。これにより、２区間ＦＦＴでは、利得を向上させた合成シンボルを取得することができる。すなわち、２区間ＦＦＴによれば、ガードインターバルに含まれる放送データを有効利用することができ、放送受信装置の受信特性を向上させることができる。
【００１２】
かかる２区間ＦＦＴを行う放送受信装置は、たとえば、特許文献１に記載の受信装置のように、１本のアンテナに対応する１つの受信系（ブランチ）に２つのＦＦＴ手段を備えている。
【先行技術文献】
【特許文献】
【００１３】
【特許文献１】特開２００８−２６３４８４号公報
【発明の概要】
【発明が解決しようとする課題】
【００１４】
しかしながら、上記特許文献１に記載の受信装置は、２区間ＦＦＴを行うために１つのブランチに２つのＦＦＴ手段を設ける必要があるため、複数のブランチにより放送波をダイバーシティ受信する放送受信装置へ適用した場合、ＦＦＴ手段の数が増大する。
【００１５】
特に、車載用の放送受信装置では、車両の高速移動やマルチパスの影響による受信性能の悪化を防止する必要があるため、放送波をダイバーシティ受信する構成が採用されている。
【００１６】
このため、車載用の放送受信装置として特許文献１に記載の受信装置を適用した場合、２区間ＦＦＴを行うためには、必然的にブランチ数の２倍の数のＦＦＴ手段が必要となりＦＦＴ手段の数が増大する。このことが、車載用の放送受信装置では、製造コストや回路規模、処理負荷を低減する上で問題となっていた。
【００１７】
本発明は、上記に鑑みてなされたものであって、ＦＦＴ手段の数が増大することを抑制しつつ、複数のブランチでダイバーシティ受信した放送データに対し、２区間ＦＦＴを行うことができる放送受信装置を提供することを目的とする。
【課題を解決するための手段】
【００１８】
上述した課題を解決し、目的を達成するために、本発明に係る受信装置は、複数のアンテナにそれぞれ対応する複数のブランチによって受信した到来波に含まれるデータを第１区間および第２区間の２区間で高速フーリエ変換する放送受信装置であって、各前記ブランチによって受信された各前記到来波に対応する入力信号の位相を調整して合成することにより前記アンテナの指向性を受信レベルが最も高い前記到来波へ向けることで前記到来波を合成した合成波を生成するアダプティブ手段と、前記アダプティブ手段によって生成された前記合成波に含まれる変換対象のデータを高速フーリエ変換する第１フーリエ変換手段と、前記複数のブランチ毎に設けられ、各ブランチによって受信された前記到来波に含まれる前記変換対象のデータを高速フーリエ変換する第２フーリエ変換手段と、前記第１フーリエ変換手段による高速フーリエ変換後の信号が複数の前記到来波の成分を含んでいる場合に、当該信号に基づいて当該複数の到来波の到来時刻に関する差分を算出する第１差分算出手段と、前記第１差分算出手段によって算出された前記到来時刻に関する差分に基づき、前記第１フーリエ変換手段が前記変換対象のデータを高速フーリエ変換する前記第１区間を前記変換対象のデータだけが重複する区間内で設定する第１区間設定手段と、前記第２フーリエ変換手段による高速フーリエ変換後の信号が複数の前記到来波の成分を含んでいる場合に、当該信号に基づいて当該複数の到来波の到来時刻に関する差分を算出する第２差分算出手段と、前記第２差分算出手段によって算出された前記到来時刻に関する差分に基づき、前記第２フーリエ変換手段が前記変換対象のデータを高速フーリエ変換する前記第２区間を前記変換対象のデータだけが重複する区間内で前記ブランチ毎に設定する第２区間設定手段とを備えたことを特徴とする。
【発明の効果】
【００１９】
本発明によれば、ＦＦＴ（高速フーリエ変換）手段の数が増大することを抑制しつつ、複数のブランチでダイバーシティ受信した放送データに対し、２区間ＦＦＴを行うことができるという効果を奏する。
【図面の簡単な説明】
【００２０】
【図１】図１は、従来における２区間高速フーリエ変換手法の概要を示す図である。
【図２】図２は、従来における放送受信装置の構成を示すブロック図である。
【図３】図３は、本実施例に係る放送受信装置の構成を示すブロック図である。
【図４】図４は、本実施例に係る放送受信装置による区間設定手順を示す図である。
【図５】図５は、本実施例に係る放送受信装置による区間設定手順を示す図である。
【発明を実施するための形態】
【００２１】
以下に添付図面を参照して、本発明に係る受信装置の実施例を詳細に説明する。以下では、従来における２区間高速フーリエ変換手法の概要および従来における放送受信装置の構成について説明した後に、本発明に係る受信装置の実施例を詳細に説明する。
【００２２】
図１は、従来における２区間高速フーリエ変換手法の概要を示す図であり、図２は、従来における放送受信装置の構成を示すブロック図である。ここでは、車載型の放送受信装置を例に挙げて説明する。以下では、高速フーリエ変換をＦＦＴという。
【００２３】
図１（Ａ）に示すように、車両Ｃに搭載される従来の放送受信装置は、デジタルテレビ放送などの放送波を受信する場合、複数の方向から到来する同一の放送波（以下、「到来波」という）を受信する。
【００２４】
たとえば、従来の放送受信装置は、比較的近い基地局Ｍ２から送信された到来波（３）、比較的遠い基地局Ｍ１から送信された到来波（１）、基地局Ｍ１から送信され建物Ｎに反射した到来波（２）を受信する。
【００２５】
このように、到来波（１）、（２）、（３）は、それぞれ伝搬経路長が異なるため、従来の放送受信装置へ到来する到来時刻がそれぞれ異なる。すなわち、従来の放送受信装置は、図１（Ｂ）に示すように、伝搬経路が短い順に到来波（３）、到来波（１）、到来波（２）の順で各到来波（１）、（２）、（３）を受信する。
【００２６】
この場合、従来における２区ＦＦＴ手法では、たとえば、最も遅く受信した到来波（２）におけるガードインターバルＧの先頭から、最も早く受信した到来波（２）における放送データＤの後尾までの区間内に、区間（１）および区間（２）を設定する。
【００２７】
同図に示すように区間（１）および区間（２）を設定することで、従来における２区間ＦＦＴ手法では、ＦＦＴを行う際に、ガードインターバルＧおよび放送データＤと隣接するデータＤ０，Ｄ１との間でシンボル間干渉が発生することを防止している。
【００２８】
そして、従来における２区間ＦＦＴ手法では、区間（１）で第１のＦＦＴ手段により入力信号をＦＦＴすることで入力信号からデータシンボルを取得し、区間（２）で第２のＦＦＴにより入力信号をＦＦＴすることで入力信号からデータシンボルを取得する。
【００２９】
続いて、従来における放送受信装置は、第１および第２のＦＦＴ手段によるＦＦＴで取得されたデータシンボルを合成して合成シンボルを生成し、生成した合成シンボルを用いて放送データを復号する。
【００３０】
このように、従来における２区間ＦＦＴ手法では、区間（１）でのＦＦＴで入力信号に重畳されている放送データから取得できなかったデータシンボルを区間（２）でのＦＦＴで入力信号に重畳されているガードインターバルから取得することができる。
【００３１】
このため、従来における２区間ＦＦＴ手法によれば、第１および第２のＦＦＴ手段によるＦＦＴで取得されたデータシンボルを合成することで利得を向上させた合成シンボルを取得することができる。したがって、放送の受信特性を向上させることができる。
【００３２】
しかしながら、従来における２区間ＦＦＴ手法では、２区間ＦＦＴを行うために１つの受信系（ブランチ）に２つのＦＦＴ手段を設ける必要があるため、複数のブランチにより到来波をダイバーシティ受信する場合に、必要となるＦＦＴ手段の数が増大する。
【００３３】
たとえば、図２に示すように、４つのブランチによって到来波をダイバーシティ受信する従来における放送受信装置１００は、４本のアンテナＡ１〜Ａ４で受信した到来波をそれぞれ区間（１）でＦＦＴする４つのＦＦＴ部３０１〜３０４と、区間（２）でＦＦＴする４つのＦＦＴ部３０５〜３０８とを備えている。
【００３４】
なお、同図に示す符号１０１〜１０４は、各アンテナＡ１〜Ａ４から到来波を検波するチューナ部、符号２０１〜２０４は、各チューナ部１０１〜１０４によって検波された到来波をアナログ／デジタル変換するＡＤＣ（Analog  Digital  Converter）部である。
【００３５】
また、同図に示す符号５００は、各ＦＦＴ部３０１〜３０８によって取得されたデータシンボルを最大比合成（ＭＲＣ：Maximum  Ratio  Combining）するＭＲＣ部、符号６００は、最大比合成された合成シンボルに基づき放送データを復号する復号部である。
【００３６】
同図に示すように、４つのブランチを備えた従来における放送受信装置１００は、ブランチ数の２倍、すなわち８つのＦＦＴ部３０１〜３０８を設ける必要があったため、ＦＦＴ部３０１〜３０８の数が増大するという問題があった。
【００３７】
そこで、本発明に係る受信装置では、各ブランチによって受信された各到来波の位相を調整することによりアンテナの指向性を受信レベルが最も高い到来波へ向けることで複数の到来波を合成した合成波を生成する。
【００３８】
そして、本発明に係る受信装置では、合成波に含まれる変換対象のデータを第１ＦＦＴ部によりＦＦＴすることで取得した信号に基づき、その後、第１ＦＦＴ部が変換対象のデータを変換する区間（１）を変換対象のデータだけが重複している区間、すなわち、シンボル間干渉が発生しない区間内で設定する。
【００３９】
さらに、本発明に係る受信装置では、第２ＦＦＴ部が変換対象のデータをＦＦＴすることで取得した信号に基づき、その後、第２ＦＦＴ部が変換対象のデータをＦＦＴする区間（２）をシンボル間干渉が発生しない区間、すなわち、変換対象のデータだけが重複している区間内で、区間（１）から最大限離隔させてブランチ毎に設定する
【００４０】
このように、本発明に係る受信装置によれば、受信強度が高く他のブランチでも受信されている可能性が高い到来波と位相が一致する合成波、もしくは、全ての到来波の成分が含まれた合成波を基準に全てのブランチで共通の区間（１）を設定することができる。
【００４１】
また、本発明に係る受信装置によれば、第１ＦＦＴ部がＦＦＴを行う区間（１）を全ブランチで共通化することができるため、区間（１）でＦＦＴを行う第１ＦＦＴ部を共通化することができる。
【００４２】
これにより、本発明に係る受信装置では、区間（１）でＦＦＴを行う少なくとも１つの第１ＦＦＴ部と、区間（２）でＦＦＴを行う各ブランチに対応した第２ＦＦＴ部とを設けるだけで、複数のブランチで受信した到来波に対し２区間ＦＦＴを行うことができる。したがって、第１ＦＦＴ部の数を低減することができる。
【００４３】
また、本発明に係る受信装置では、シンボル間干渉が発生しない区間で区間（１）および区間（２）を最大限に離して設定するため、２区間ＦＦＴによる効果を最大限に発揮させることができる。
【００４４】
次に、図３〜図５を用いて、本発明に係る受信装置の実施例を詳細に説明する。ここでは、ＯＦＤＭ（Orthogonal  Frequency  Division  Multiplexing；直交周波数分割多重）方式で変調されたデジタルテレビ放送の放送波（以下、「到来波」という）を受信する放送受信装置を例に挙げて説明する。図３は、本実施例に係る放送受信装置の構成を示すブロック図であり、図４および図５は、本実施例に係る放送受信装置による区間設定手順を示す図である。
【実施例】
【００４５】
図３に示すように、本実施例に係る放送受信装置１は、チューナ部１１〜１４と、ＡＤＣ（Analog  Digital  Converter）部２１〜２４と、第２ＦＦＴ（Fast  Fourier  Transform）部３１〜３４と、アダプティブ部５と、第１ＦＦＴ（Fast  Fourier  Transform）部６と、遅延プロファイル部７と、区間設定部８と、ＭＲＣ（Maximum  Ratio  Combining）部９と復号部１０とを備えている。
【００４６】
チューナ部１１〜１４は、それぞれ対応するアンテナＡ１〜Ａ４によって受信された到来波を検波および増幅して後段のＡＤＣ部２１〜２４へ出力する処理部である。また、ＡＤＣ部２１〜２４は、チューナ部１１〜１４から入力されるアナログ信号の到来波をデジタル信号の到来波へ変換する処理部である。
【００４７】
そして、各ＡＤＣ部２１〜２４は、デジタル信号へ変換した到来波を対応する第２ＦＦＴ部３１〜３４およびアダプティブ部５へ出力する。第２ＦＦＴ部３１〜３４は、ＡＤＣ部２１〜２４から入力される到来波に含まれる変換対象のデータを高速フーリエ変換（以下、「ＦＦＴ」という）することで、到来波からデータシンボルを取得する処理部である。
【００４８】
かかる第２ＦＦＴ部３１〜３４は、区間設定部８により設定された区間（２）で到来波をＦＦＴする。なお、区間設定部８による区間（２）の設定手順については、図４および図５を用いて後述する。そして、第２ＦＦＴ部３１〜３４は、取得したデータシンボルを遅延プロファイル部７およびＭＲＣ部９へ出力する。
【００４９】
また、アダプティブ部５は、各ＡＤＣ部２１〜２４から入力される到来波の位相を調整することによりアンテナＡ１〜Ａ４の指向性を受信レベルが最も高い到来波へ向けることで複数の到来波を合成した合成波を生成し、第１ＦＦＴ部６へ出力する処理部である。
【００５０】
そして、アダプティブ部５は、入力される複数の到来波のなかに他の到来波の受信レベルに比べ非常に受信レベルの高い特定の到来波が含まれていた場合、特定の到来波の成分のみを含む合成波を生成する。ここで、特定の到来波は、受信レベルが非常に高いため、全てのアンテナＡ１〜Ａ４で受信される可能性が高い。
【００５１】
このため、放送受信装置１では、係る特定の到来波、すなわち、アダプティブ部５によって生成された合成波を基準にして、各ブランチで共通の区間（１）を設定する。
【００５２】
第１ＦＦＴ部６は、アダプティブ部５から入力された合成波に含まれる変換対象のデータを高速フーリエ変換することで、合成波からデータシンボルを取得する処理部である。かかる第１ＦＦＴ部６は、区間設定部８により設定された区間（１）で到来波をＦＦＴする。
【００５３】
なお、区間設定部８による区間（１）の設定手順については、図４および図５を用いて後述する。そして、第１ＦＦＴ部６は、取得したデータシンボルを遅延プロファイル部７およびＭＲＣ部９へ出力する処理部である。
【００５４】
ＭＲＣ部９は、第１ＦＦＴ部６および第２ＦＦＴ部３１〜３４から入力されるデータシンボルを最大比合成することで合成シンボルを生成し、生成した合成シンボルを復号部１０へ出力する処理部である。
【００５５】
復号部１０は、ＭＲＣ部９から入力される合成シンボルに対し、ビタビ復号やＲＳ（リード・ソロモン）復号などの誤り訂正処理を行い、誤り訂正後の合成シンボルを映像や音声として再生可能なデータ形式へ変換してディスプレイおよびスピーカへ出力する処理部である。
【００５６】
遅延プロファイル部７は、第１ＦＦＴ部６へ入力される合成波に到来時刻の異なる複数の到来波が含まれていた場合に、各到来波の到来時刻または到来時刻の差分（到来波の遅延時間）を区間設定部８へ出力する処理部である。なお、ここでは、遅延プロファイル部７は、到来時刻を区間設定部８へ出力するものとする。
【００５７】
具体的には、遅延プロファイル部７は、第１ＦＦＴ部６からデータシンボルが入力されると、入力されたデータシンボルに基づき、合成波の伝送路に関する伝達関数を算出する。続いて、遅延プロファイル部７は、算出した伝達関数をＩＦＦＴ（逆高速フーリエ変換：Inverse   Fast  Fourier  Transform）することにより合成波に含まれる各到来波の到来時刻を算出する。
【００５８】
そして、遅延プロファイル部７は、算出した各到来波の到来時刻を第１ＦＦＴ部６に対応つけて区間設定部８へ出力する。なお、遅延プロファイル部７は、第１ＦＦＴ部６へ入力される合成波に到来時刻の異なる到来波が含まれていない場合、合成波の到来時刻を区間設定部８へ出力する。
【００５９】
また、遅延プロファイル部７は、各第２ＦＦＴ部３１〜３４へ入力される到来波に到来時刻の異なる複数の到来波が含まれていた場合、同様に各到来波の到来時刻を算出し、各第２ＦＦＴ部３１〜３４に対応付けて区間設定部８へ出力する。
【００６０】
なお、遅延プロファイル部７は、第２ＦＦＴ部３１〜３４へ入力される到来波に到来時刻の異なる到来波が含まれていない場合、一つの到来波の到来時刻を区間設定部８へ出力する。
【００６１】
また、区間設定部８は、遅延プロファイル部７から入力される各ＦＴＴ部（第１ＦＦＴ６、第２ＦＦＴ部３１〜３４）に対応付けられた到来波の到来時刻に基づき、第１ＦＦＴ部６がＦＦＴを行う区間（１）および第２ＦＦＴ部３１〜３４がＦＦＴを行う区間（２）を設定する。
【００６２】
ここで、図４および図５を用いて、区間設定部８による区間設定手順について説明する。以下では、アンテナＡ１〜Ａ４に対応する受信系をそれぞれ第１ブランチ、第２ブランチ、第３ブランチ、第４ブランチとして説明する。
【００６３】
まず、図４を用いて、到来波（１）の受信レベル（信号レベル）が他の到来波（２）および到来波（３）に比べ非常に高かった場合の区間設定手順について説明する。同図に示す例では、ガードインターバルＧおよび放送データＤが変換対象のデータである。
【００６４】
ここでは、第１ブランチによって到来波（１）が、第２ブランチによって到来波（１）および到来波（３）が、第３ブランチにより到来波（１）および到来波（２）が、第４ブランチにより到来波（１）と到来波（２）と到来波（３）とが受信されたものとする。
【００６５】
このとき、到来波（１）の受信レベル（信号レベル）が他の到来波（２）および到来波（３）に比べ非常に高いため、アダプティブ部５は、アンテナＡ１〜Ａ４の指向性を到来波（１）の到来方向へ向けることができる。
【００６６】
このため、図４（Ａ）に示すように、第１ＦＦＴ部６へは合成波として到来波（１）だけが入力される。また、到来波（１）は、他の到来波（２）および到来波（３）に比べ信号レベルが非常に高いため、全てのブランチで受信される可能性が高い。
【００６７】
このため、区間設定部８は、かかる合成波（到来波（１））を基準に全ブランチ共通の区間（１）を設定する。具体的には、区間設定部８は、図４（Ａ）に示すように、到来波（１）に重畳されているガードインターバルＧの先頭から放送データＤのデータ長に相当する区間を全ブランチに共通の区間（１）として設定する。
【００６８】
また、区間設定部８は、図４（Ｂ）に示すように、第１ブランチの第２ＦＦＴ部３１へ到来波（１）が入力されている場合、到来波（１）の放送データＤの後尾から放送データＤのデータ長に相当する区間を第１ブランチの区間（２）として設定する。
【００６９】
また、区間設定部８は、図４（Ｃ）に示すように、第２ブランチの第２ＦＦＴ部３２へ到来波（１）および到来波（３）が入力されている場合、到達時刻が早い到来波（３）の放送データＤの後尾から放送データＤのデータ長に相当する区間を第２ブランチの区間（２）として設定する。
【００７０】
また、区間設定部８は、図４（Ｄ）に示すように、第３ブランチの第２ＦＦＴ部３３へ到来波（１）および到来波（２）が入力されている場合、到達時刻が早い到来波（１）の放送データＤの後尾から放送データＤのデータ長に相当する区間を第３ブランチの区間（２）として設定する。
【００７１】
また、区間設定部８は、図４（Ｅ）に示すように、第４ブランチの第２ＦＦＴ部３４へ到来波（１）〜到来波（３）が入力されている場合、到達時刻が最も早い到来波（３）の放送データＤの後尾から放送データＤのデータ長に相当する区間を第４ブランチの区間（２）として設定する。
【００７２】
このように、区間設定部８は、全てのブランチで受信されている可能性が高い到来波（１）において第１ＦＦＴ部６によるＦＦＴでシンボル間干渉が発生しない最も前方の位置に全ブランチで共通の区間（１）を設定する。
【００７３】
そして、区間設定部８は、各ブランチの第２ＦＦＴ部３１〜３４によるＦＦＴでシンボル間干渉が発生しない区間で区間（１）と区間（２）との重複区間が最小となるように区間（２）を区間（１）から後方に離して設定する。
【００７４】
このため、本実施例に係る放送受信装置１では、全ブランチ共通の区間（１）を設定することができるため、従来における放送受信装置１００に比べ、区間（１）でＦＦＴを行うＦＦＴ手段の数を低減することができる。
【００７５】
また、本実施例に係る放送受信装置１では、シンボル間干渉が発生しない区間内で区間（１）および区間（２）を最大限離隔して設定することができるため、２区間ＦＦＴによる効果を最大限に発揮させることができる。
【００７６】
なお、図４に示す例では、区間設定部８は、シンボル間干渉が発生しない区間で極力前側に区間（１）を、極力後側に区間（２）設定しているが、区間（１）を極力前側に、区間（２）を極力後側に設定してもよい。
【００７７】
このように設定した場合であっても、シンボル間干渉が発生しない区間内で区間（１）および区間（２）を最大限離隔して設定することができるため、２区間ＦＦＴによる効果を最大限に発揮させることができる。
【００７８】
次に、図５を用いて、到来波（１）〜到来波（３）の受信レベルに大きな差がなかった場合の区間設定手順について説明する。同図に示す例では、ガードインターバルＧおよび放送データＤが変換対象のデータである。なお、ここで各ブランチは、図４に示した場合と同じ到来波を受信しているものとする。
【００７９】
図５に示す例では、アダプティブ部５は、到来波（１）〜到来波（３）の受信レベルに大きな差がないため、特定の到来波の到来方向へアンテナＡ１〜４の指向性を向けることができない。
【００８０】
このため、第１ＦＦＴ部６へは、図５（Ａ）に示すように、到来波（１）〜到来波（３）の成分が混在した合成波が入力されることになる。この場合、区間設定部８は、遅延プロファイル部７から入力される各到来波（１）〜到来波（３）の各到来時刻に基づき、シンボル間干渉が発生しない区間で最も後ろ側の位置に区間（１）を設定する。
【００８１】
すなわち、区間設定部８は、変換対象のデータ（ガードインターバルＧおよび放送データＤ）だけが重複している区間に区間（１）の一端を内接させて区間（１）を設定する。
【００８２】
具体的には、区間設定部８は、図５（Ａ）に示すように、最も到来時刻の早い到来波（３）の後尾から放送データＤのデータ長に相当する区間を区間（１）として設定する。これにより、区間設定部８は、全ての到来波（１）〜到来波（３）でシンボル間干渉が発生しない全ブランチ共通の区間（１）を設定することができる。
【００８３】
また、区間設定部８は、図５（Ｂ）に示すように、第１ブランチの第２ＦＦＴ３１へ到来波（１）が入力されている場合、到来波（１）のガードインターバルＧの先頭から放送データＤのデータ長に相当する区間を第１ブランチの区間（２）として設定する。
【００８４】
また、区間設定部８は、図５（Ｃ）に示すように、第２ブランチの第２ＦＦＴ部３２へ到来波（１）および到来波（３）が入力されている場合、到達時刻が遅い到来波（１）のガードインターバルＧの先頭から放送データＤのデータ長に相当する区間を第２ブランチの区間（２）として設定する。
【００８５】
また、区間設定部８は、図５（Ｄ）に示すように、第３ブランチの第２ＦＦＴ部３３へ到来波（１）および到来波（２）が入力されている場合、到達時刻が遅い到来波（２）のガードインターバルＧの先頭から放送データＤのデータ長に相当する区間を第３ブランチの区間（２）として設定する。
【００８６】
また、区間設定部８は、図５（Ｅ）に示すように、第４ブランチの第２ＦＦＴ部３４へ到来波（１）〜到来波（３）が入力されている場合、到達時刻が最も遅い到来波（２）のガードインターバルＧの先頭から放送データＤのデータ長に相当する区間を第４ブランチの区間（２）として設定する。
【００８７】
このように、区間設定部８は、全ての到来波（１）〜到来波（３）でシンボル間干渉が発生しない最も後方の位置に全ブランチに共通の区間（１）を設定する。このため、本実施例に係る放送受信装置１によれば、区間（１）でＦＦＴを行うＦＦＴ手段の数を低減することができる。
【００８８】
また、区間設定部８は、各ブランチの第２ＦＦＴ部３１〜３４によるＦＦＴでシンボル間干渉が発生しない区間で区間（１）と区間（２）との重複区間が最小となるように区間（２）を区間（１）から前方に離して設定する。
【００８９】
このため、本実施例に係る放送受信装置１によれば、シンボル間干渉が発生しない区間内で区間（１）および区間（２）を最大限離隔して設定することができるため、２区間ＦＦＴによる効果を最大限に発揮させることができる。
【００９０】
なお、図２に示す例では、区間設定部８は、シンボル間干渉が発生しない区間で極力後側に区間（１）を、極力前側に区間（２）設定しているが、区間（１）を極力後側に、区間（２）を極力前側に設定してもよい。
【００９１】
このように設定した場合であっても、シンボル間干渉が発生しない区間内で区間（１）および区間（２）を最大限離隔して設定することができるため、２区間ＦＦＴによる効果を最大限に発揮させることができる。
【００９２】
上述してきたように、本実施例に係る放送受信装置は、各ブランチで受信された到来波をアダプティブ部へ入力することにより、全ての到来波の成分を含む合成波または全てのブランチで受信されている可能性の高い到来波に相当する合成波を生成する。
【００９３】
そして、本実施例に係る放送受信装置は、アダプティブ部によって生成された合成波に基づいて全ブランチで共通の区間（１）を設定する。また、本実施例に係る放送受信装置は、シンボル間干渉が発生しない区間で区間（１）と重複する区間が最小となる区間を第２ＦＦＴ部がＦＦＴを行う区間（２）として設定する。
【００９４】
このように、本実施例に係る放送受信装置によれば、第１ＦＦＴ部がＦＦＴを行う区間（１）を全ブランチで共通化することができるため、区間（１）でＦＦＴを行う第１ＦＦＴ部を共通化することができる。
【００９５】
すなわち、本実施例に係る放送受信装置では、区間（１）でＦＦＴを行う少なくとも１つの第１ＦＦＴ部と、区間（２）でＦＦＴを行う各ブランチに対応した第２ＦＦＴ部とを設けるだけで、複数のブランチで受信した到来波に対し２区間ＦＦＴを行うことができるため、第１ＦＦＴ部の数を低減することができる。
【００９６】
また、本実施例に係る放送受信装置では、シンボル間干渉が発生しない区間で区間（１）および区間（２）を最大限に離して設定するため、２区間ＦＦＴによる効果を最大限に発揮させることができる。
【００９７】
また、本実施例では、４ブランチで到来波を受信する構成として、１つ第１ＦＦＴ部と４つの第２ＦＦＴ部とを設ける場合について説明したが、第１ＦＦＴ部を２つ設けるように構成してもよい。
【００９８】
かかる構成とする場合、放送受信装置では、アダプティブ部によって同時に２種類の到来波の到来方向へアンテナの指向性を向ける制御を行い、第１の合成波および第２の合成波を対応する第１ＦＦＴ部へ出力する。
【００９９】
そして、放送受信装置は、第１の合成波に基づき、第１の合成波をＦＦＴする全ブランチ共通の区間（１）を設定し、第２の合成波に基づき、第２の合成波をＦＦＴする全ブランチ共通の区間（１）を設定する。
【０１００】
これにより、放送受信装置は、区間（２）を設定する場合に、２種類の区間（１）のうち、シンボル間干渉が発生しない範囲で区間（１）および区間（２）を最大限に離隔できる方の区間（１）を選択して区間（２）を設定することができる。このため、放送受信装置は、２区間ＦＦＴの効果をより増大させることができる。
【０１０１】
なお、本実施例では、区間（１）、区間（２）をガードインターバル間に挟まれた放送データのデータ長として説明したが、区間（１）、区間（２）は、シンボル間干渉が発生しない範囲内で任意に変更してもよい。
【符号の説明】
【０１０２】
１  放送受信装置
Ａ１〜Ａ４  アンテナ
１１〜１４  チューナ部
２１〜２４  ＡＤＣ部
３１〜３４  第２ＦＦＴ部
５  アダプティブ部
６  第１ＦＦＴ部
７  遅延プロファイル部
８  区間設定部
９  ＭＲＣ部
１０  復号部
【図１】
2011182129.tif 000003
【図２】
2011182129.tif 000004
【図３】
2011182129.tif 000005
【図４】
2011182129.tif 000006
【図５】
2011182129.tif 000007